(57)【要約】      （修正有）【課題】携帯が便利で、且つペンとしても使用可能である箸の構造を提供する。【解決手段】ペン具と、箸本体と、蓋とから構成されるペンとして使用可能な箸の構造において、前記ペン具の上端には箸本体が結合してあり、前記ペン具のペン身部と、ペンのヘッド部との外周面には嵌め凹部が設けてあり、前記蓋にある嵌め凸部が前記嵌め凹部に嵌め止められ、前記蓋が前記ペン具の身部に嵌止されるときに、前記ペン具によって書くことが可能であり、前記蓋が前記ペン具のヘッド部に嵌止され箸本体が露出するときに、箸として使用可能である。【選択図】図１
0003123420.tif 000002
【実用新案登録請求の範囲】
【請求項１】
主に、ペン具と、箸本体と、蓋とから構成されるペンとして使用可能な箸の構造において、
前記ペン具の上端には箸本体が結合してあり、前記ペン具のペン身部と、ペンのヘッド部との外周面には嵌め凹部が設けてあり、前記蓋にある嵌め凸部が前記嵌め凹部に嵌め止められ、
前記蓋が前記ペン具の身部に嵌止されると、前記ペン具によって書くことが可能であると共に、前記蓋が前記ペン具のヘッド部に嵌止されて箸本体が露出すると、別のペン具にある箸本体とともに箸として使用可能であることを特徴とする、
ペンとして使用可能な箸の構造。
【請求項２】
前記ペン具の身部の上端には箸本体にある嵌止溝に嵌止し結合する嵌止凸縁が形成してあることを特徴とする、請求項１に記載のペンとして使用可能な箸の構造。
【請求項３】
前記蓋から延長段を延在し、箸全体の長さをもっと長くするために、前記延長段にはブッシュが別に嵌めてあることを特徴とする、請求項１に記載のペンとして使用可能な箸の構造。
【考案の詳細な説明】
【技術分野】
【０００１】
本考案は、ペンとして使用可能な箸の構造に係り、特に、携帯が便利になり、且つペンとして使用することも可能になる箸の構造に関するものである。
【背景技術】
【０００２】
目下、商工社会の発展に伴って、外食する国民はだんどん増える一方、食堂などで使用する食器（例えば箸や碗など）は、個人衛生および洗浄不要の考慮の下で、ソレッキリ式（使い捨て式）の食器を使用する機会がますます増えてきた。
【考案の開示】
【考案が解決しようとする課題】
【０００３】
しかしながら、使い捨て式の箸には次のような欠点があった。
（イ）使い捨て式箸の素材は竹や木材を使用することが一般であるが、竹や木材の加工は面倒であり、且つ竹や木を大量に伐採すると、環境が悪化する。
【０００４】
（ロ）使い捨て式箸の保存期間を長くしてばい菌の成長を抑制するために、製造の過程中に使い捨て式箸を二酸化硫黄の溶液に浸す工程がある。そのため、ユーザーがこのような使い捨て式箸を使用すると、二酸化硫黄を食べてしまい、ユーザーの健康に悪影響を与える。
【０００５】
（ハ）使い捨て式箸は、使用したと廃棄されるものであるので、廃棄物処理の作業量が膨大になる。
【課題を解決するための手段】
【０００６】
上記欠点を解決するためになされた本願の第１考案は、主に、ペン具と、箸本体と、蓋とから構成されるペンとして使用可能な箸の構造において、前記ペン具の上端には箸本体が結合してあり、前記ペン具のペン身部と、ペンのヘッド部との外周面には嵌め凹部が設けてあり、前記蓋にある嵌め凸部が前記嵌め凹部に嵌め止められ、前記蓋が前記ペン具の身部に嵌止されるときに、前記ペン具によって書くことが可能であり、なお、前記蓋が前記ペン具のヘッド部に嵌止され箸本体が露出するときに、別のペン具にある箸本体に合うと、箸として使用可能であることを特徴とするペンとして使用可能な箸の構造であることを要旨としている。
【０００７】
本願の第２考案では、前記ペン具の身部の上端には箸本体にある嵌止溝に嵌止し結合する嵌止凸縁が形成してあることを特徴とする、前記第１考案に記載のペンとして使用可能な箸の構造であることを要旨としている。
【０００８】
本願の第３考案では、前記蓋から延長段を延在してもよく、箸全体の長さをもっと長くするために、前記延長段にはブッシュが別に嵌めてあることを特徴とする、前記第１考案に記載のペンとして使用可能な箸の構造であることを要旨としている。
【考案の効果】
【０００９】
本考案に係る箸の構造によれば、次のような効果がある。
（イ）本考案の箸は竹や木材で作製されたものではないので、竹や木を大量に伐採することはない。
【００１０】
（ロ）本考案の箸は重複に洗浄して使用することは可能であるので、ユーザーは二酸化硫黄などの化学物質を食べる恐れがなくなる。
【００１１】
（ハ）本考案の箸は重複に洗浄して使用することは可能であるので、廃棄物処理の作業量は低減になる。
【００１２】
（ニ）本考案の箸は、ペンとして書くこともできるし、箸として使用することもできるので、二重機能を有する。
【考案を実施するための最良の形態】
【００１３】
以下、添付図面を参照して本考案の好適な実施の形態を詳細に説明する。
【００１４】
まず、図１と図２を参照する。本考案のペンとして使用可能な箸の構造は、主に、ペン具１と、箸本体２と、蓋３とから構成される。
【００１５】
前記ペン具１は、ペン身部１１の内部には自在ブロック１２が嵌めてあり、前記ペン身部１１と自在ブロック１２の間には傾斜案内レール１１１で案内ブロック１２１と結合し、前記自在ブロック１２の内部には、貫通孔１２２が開設してあり、ねじ穴１２３も形成してあり、これにより、前記貫通孔１２２を挿通するペンの芯部１３の螺設部１３１が前記ねじ穴１２３に螺合し、また、前記ペン身部１１の下端にはペンのヘッド部１４が固定してあり、前記ペンのヘッド部１４の下端には貫通孔１５１が開設された被り止具１５が被ってあり、また、前記ペン身部１１の上端には嵌止凸縁１１２が形成してあり、且つ前記ペン身部１１と、ペンのヘッド部１４との周面には互いに対応する嵌め凹部１１３，１４１が設けてある。
【００１６】
前記箸本体２は、前記ペン具１の身部１１の上端を被り、その嵌止溝２１で前記ペン身部１１にある嵌止凸縁１１２に嵌止し位置決めることができる。
【００１７】
前記蓋３は、その内部にはペン具の身部１１とヘッド部１４との嵌め凹部１１３，１４１に対応する嵌め凸部３１が凸設してあり、且つ前記蓋３の外面には挟止具３２が設けてあり、前記蓋３の上端には被り止具３３が被ってある。
【００１８】
次に、図３を参照して本考案の使用方法を詳細に説明する。本考案をペンとして使用しようとする場合には、前記蓋３を前記ペン具１の身部１１に嵌止し、前記蓋３の嵌め凸部３１を前記ペン身部１１にある嵌め凹部１１３に嵌止し結合し、このとき、前記蓋３にある挟止具３２によって本考案の箸をユーザーのポケットに挟止すると、ユーザーは本考案の箸を携帯することができ、且つペン身部１１を回転すると、自在ブロック１２の案内ブロック１２１がペン身部１１にある傾斜案内レール１１１に沿って移動し、そうすると、自在ブロック１２によりペンの芯部１３が下へ移動して被り止具１５の貫通孔１５１から外側に突出し、このとき、ユーザーは本考案の箸をペンとして書くことができる。
また、ユーザーは本考案の箸を箸として使用しようとする場合には、図４に示すように、前記蓋３をペン身部１１から取り出してペン具１のヘッド１４に被り、前記蓋３の嵌め凸部３１を前記ペンのヘッド部１４にある嵌め凹部１４１に嵌止し結合し、このとき、前記箸本体２が外部に露出し、別のペン具１にある箸本体２に合うと、箸として使用することができる。
【００１９】
また、図５と図６を参照する。本考案では、前記蓋３から延長段３４を延在してもよく、箸全体の長さをもっと長くするために、前記延長段３４にはブッシュ３５が別に嵌めてある。
【図面の簡単な説明】
【００２０】
【図１】本考案の分解斜視図である。
【図２】本考案の組合状態を示す断面図である。
【図３】本考案の使用状態を示す概略図である。
【図４】本考案の別の使用状態を示す概略図である。
【図５】本考案の別の実施例の側面断面図である。
【図６】本考案の別の実施例の使用状態を示す概略図である。
【符号の説明】
【００２１】
１        ペン具                  １１      ペン身部
１１１    傾斜案内レール          １１２    嵌止凸縁
１１３    嵌め凹部                １２      自在ブロック
１２１    案内ブロック            １２２    貫通孔
１２３    ねじ穴                  １３      ペンの芯部
１３１    螺設部                  １４      ペンのヘッド部
１４１    嵌め凹部                １５      被り止具
１５１    貫通孔                  ２        箸本体
２１      嵌止溝                  ３        蓋
３１      嵌め凸部                ３２      挟止具
３３      被り止具                ３４      延長段
３５      ブッシュ
【図１】
0003123420.tif 000003
【図２】
0003123420.tif 000004
【図３】
0003123420.tif 000005
【図４】
0003123420.tif 000006
【図５】
0003123420.tif 000007
【図６】
0003123420.tif 000008